(57)【要約】【課題】本発明は、内部に水が浸入しにくく、かつ、結露が生じにくい照明装置を提供すること。【解決手段】照明装置１は、一の面に開口３３を有するケーシング部材３と、ケーシング部材３の内部に配置される発光部材５２と、ケーシング部材３の内部における発光部材５２よりも開口３３側に配置され、発光部材５２からの光を透過させる透光部材７と、ケーシング部材３の内部に配置され、発光部材５２を挟んで透光部材７と反対側において発光部材５２を支持する支持部材６と、開口３３から視た場合における発光部材５２の外側において支持部材６と透光部材７との間に配置され、発光部材５２が配置される空間Ｋへの水の浸入を抑制するように、支持部材６と透光部材７とに押圧される止水部材８１と、を備える。【選択図】図３
2019071295.tif 000002
【特許請求の範囲】
【請求項１】
一の面に開口を有するケーシング部材と、
前記ケーシング部材の内部に配置される発光部材と、
前記ケーシング部材の内部における前記発光部材よりも前記開口側に配置され、前記発光部材からの光を透過させる透光部材と、
前記ケーシング部材の内部に配置され、前記発光部材を挟んで前記透光部材と反対側において前記発光部材を支持する支持部材と、
前記開口から視た場合における前記発光部材の外側において前記支持部材と前記透光部材との間に配置され、前記発光部材が配置される空間への水の浸入を抑制するように、前記支持部材と前記透光部材とに押圧される止水部材と、を備える照明装置。
【請求項２】
前記ケーシング部材における前記一の面と反対側の面を貫通して設けられ、前記支持部材における前記発光部材と反対側の面を前記ケーシング部材の外側から前記透光部材側に押圧する押圧部材を備える請求項１に記載の照明装置。
【発明の詳細な説明】
【技術分野】
【０００１】
本発明は、開口を有するケーシング部材と、ケーシング部材の内部に配置される発光部材と、ケーシング部材の内部における発光部材よりも開口側に配置される透光部材と、を備える照明装置に関する。
【背景技術】
【０００２】
従来、雨にさらされやすい環境下や結露しやすい環境下にある屋外に設置された照明装置において、照明装置の内部の水分を除去するために、通気させて乾燥させる構造を有するものがある。通気させて乾燥させる構造を有する照明装置は、通気させるための通気路を有しており、完全な防水構造になっていない。
照明装置において、窓部（開口）を有するケーシング部材と、ケーシング部材の内部に配置される光源と、窓部の周縁に設けられたスリットに差し込んで固定され光源からの光を透過させる透光部材と、を備えるものがある（例えば、特許文献１参照）。
【先行技術文献】
【特許文献】
【０００３】
【特許文献１】特開２０１４−１３５１２７号公報
【発明の概要】
【発明が解決しようとする課題】
【０００４】
特許文献１に記載の照明装置においては、透光部材がスリットに差し込まれて固定されるだけの構造であるため、雨天時や湿度が高い時期に、照明装置の内部に雨水が浸入したり、照明装置の内部に結露が生じることがある。照明装置の内部に雨水が浸入したり結露が生じると、照明装置の内部において、透光部材に水滴が付着して、見栄えが悪くなったり、品質が悪い印象を与えるおそれがある。
そのため、内部に水が浸入しにくく、かつ、結露が生じにくい照明装置が望まれている。
【０００５】
本発明は、内部に水が浸入しにくく、かつ、結露が生じにくい照明装置を提供することを目的とする。
【課題を解決するための手段】
【０００６】
本発明は、一の面に開口を有するケーシング部材と、前記ケーシング部材の内部に配置される発光部材と、前記ケーシング部材の内部における前記発光部材よりも前記開口側に配置され、前記発光部材からの光を透過させる透光部材と、前記ケーシング部材の内部に配置され、前記発光部材を挟んで前記透光部材と反対側において前記発光部材を支持する支持部材と、前記開口から視た場合における前記発光部材の外側において前記支持部材と前記透光部材との間に配置され、前記発光部材が配置される空間への水の浸入を抑制するように、前記支持部材と前記透光部材とに押圧される止水部材と、を備える照明装置に関する。
【０００７】
また、前記ケーシング部材における前記一の面と反対側の面を貫通して設けられ、前記支持部材における前記発光部材と反対側の面を前記ケーシング部材の外側から前記透光部材側に押圧する押圧部材を備えることが好ましい。
【発明の効果】
【０００８】
本発明によれば、内部に水が浸入しにくく、かつ、結露が生じにくい照明装置を提供することができる。
【図面の簡単な説明】
【０００９】
【図１】本発明の一実施形態に係る照明装置１が壁面１００を照射する様子を示す図である。
【図２】本発明の一実施形態に係る照明装置１の照明ユニット２及びサイドカバー部材１１の構成を示す図である。
【図３】本発明の一実施形態に係る照明装置１の照明ユニット２の構成を示す断面図である。
【図４】本発明の一実施形態に係る照明装置１の各構成を示す分解斜視図である。
【発明を実施するための形態】
【００１０】
以下、本発明の照明装置１の好ましい一実施形態について、図面を参照しながら説明する。図１は、本発明の一実施形態に係る照明装置１が壁面１００を照射する様子を示す図である。図２は、本発明の一実施形態に係る照明装置１の照明ユニット２及びサイドカバー部材１１の構成を示す図である。図３は、本発明の一実施形態に係る照明装置１の照明ユニット２の構成を示す断面図である。図４は、本発明の一実施形態に係る照明装置１の各構成を示す分解斜視図である。
【００１１】
図１に示すように、本実施形態の照明装置１は、壁面１００の下方に配置され、壁面１００を下方から照射する。壁面１００は、例えば、塀や門袖の壁の壁面や、住宅の外壁の壁面などである。
【００１２】
照明装置１は、壁面１００の下方において、壁面１００から所定距離離間して配置される。照明装置１は、長手方向Ｙに延びるように長尺状に形成される。本実施形態において、照明装置１が延びる長手方向Ｙは、壁面１００に沿う方向で且つ水平な方向である。なお、本実施形態においては、照明装置１の説明において、照明装置１が延びる長手方向Ｙに直交し且つ水平な方向を「幅方向Ｘ」ともいう。垂直方向Ｚは、長手方向Ｙ及び幅方向Ｘと直交する。
【００１３】
照明装置１は、図１及び図２に示すように、照明ユニット２と、一対のサイドカバー部材１１，１１と、電源コード１２と、一対の脚部材１３，１３（図１参照）と、を備える。
【００１４】
照明ユニット２には、図１及び図２に示すように、長手方向Ｙの両端部において、一対のサイドカバー部材１１，１１が取り付けられる。照明ユニット２は、照明ユニット２の両端部に一対のサイドカバー部材１１，１１が取り付けられた状態で、一対の脚部材１３，１３により地面に設置される。
【００１５】
一対のサイドカバー部材１１，１１は、図２に示すように、側部カバー板部１１１と、取付支持板部１１２と、を有する。
【００１６】
側部カバー板部１１１は、板状に形成され、照明ユニット２の長手方向Ｙの両端部において、長手方向Ｙに直交する面に平行に配置されている。
側部カバー板部１１１は、脚部材取付孔１１３と、角度確認孔１１４と、角度確認目盛１１５と、を有する。脚部材取付孔１１３及び角度確認孔１１４は、側部カバー板部１１１を長手方向Ｙに貫通する。角度確認目盛１１５は、側部カバー板部１１１の外面に形成されている。
【００１７】
取付支持板部１１２は、側部カバー板部１１１の内側の面に接続される。取付支持板部１１２は、長手方向Ｙに視た場合に略Ｌ字形状に形成される。取付支持板部１１２は、照明ユニット２の長手方向Ｙの両端部において、照明ユニット２の下面を支持する。
【００１８】
照明ユニット２を設置する際には、照明ユニット２が取付支持板部１１２に支持された状態で、脚部材取付孔１１３に挿通されたボルト１１１ｂにより、脚部材１３に側部カバー板部１１１を取り付ける（図１参照）。また、脚部材１３から側方に突出する突起１１１ａ（図１参照）を、側部カバー板部１１１の角度確認孔１１４に挿入する。そして、ボルト１１１ｂの回転軸を中心に照明ユニット２を回動させながら、突起１１１ａと角度確認目盛１１５との位置関係によって、照明ユニット２の取り付け角度を調整することができる。なお、通常、照明ユニット２を設置する際において取り付け角度を調整して照明ユニット２を設置した後には、照明ユニット２は、脚部材１３への取り付け角度を変更せずに使用される。
【００１９】
照明ユニット２は、図３及び図４に示すように、ケーシング部材３と、光源部５と、光源部５を支持する支持部材６と、透光部材７と、止水部材としてのシール部材８１と、一対のスペーサ部材８２，８２と、複数の押圧部材としての押圧ネジ部材８３と、を備える。光源部５、支持部材６、透光部材７、シール部材８１及び一対のスペーサ部材８２，８２は、ケーシング部材３の内部に配置される。
【００２０】
ケーシング部材３は、長尺状に形成され、壁面１００に沿って長手方向Ｙに延びる。ケーシング部材３は、図３に示すように、長手方向Ｙに直交する断面において、上方側が開口された枠体により形成される。ケーシング部材３は、アルミ等の不透光部材からなる。
【００２１】
ケーシング部材３は、上面板３１と、底面板３４と、第１側面板３５と、第２側面板３６と、を有する。上面板３１、底面板３４、第１側面板３５及び第２側面板３６は、ケーシング部材３の長手方向Ｙに延びる。
【００２２】
底面板３４は、板状に形成され、ケーシング部材３の下方に配置される。底面板３４は、水平方向（幅方向Ｘ）に延びる。底面板３４の幅方向Ｘの両端部は、第１側面板３５の下端部及び第２側面板３６の下端部に接続される。
【００２３】
第１側面板３５は、板状に形成され、ケーシング部材３における壁面１００側の側部に配置される。第１側面板３５は、底面板３４における壁面１００側の端部から、垂直方向Ｚの上方に延びる。
【００２４】
第２側面板３６は、板状に形成され、ケーシング部材３における壁面１００とは反対側の側部に配置される。第２側面板３６は、第１側面板３５よりも長い長さで、底面板３４における壁面１００とは反対側の端部から、垂直方向Ｚの上方に延びる。
【００２５】
上面板３１は、板状に形成され、ケーシング部材３の上方に配置される。上面板３１は、底面板３４を水平方向に沿うように位置させると共に第１側面板３５を壁面１００側に位置させた状態において、第２側面板３６から第１側面板３５に向かうにしたがって上方から下方に向かうように傾斜する。つまり、上面板３１は、底面板３４を水平に配置した状態において、第１側面板３５側が下がるように傾斜している。上面板３１の上方側の面は、上面３２を構成する。上面３２は、壁面１００側（第１側面板３５側）に下がる傾斜面である。
【００２６】
上面３２（一の面）には、ケーシング部材３の内部に配置された複数のＬＥＤ５２（Ｌｉｇｈｔ  Ｅｍｉｔｔｉｎｇ  Ｄｉｏｄｅ）５２（発光部材）からの光を透過するように開口する窓部３３（開口）が形成される。窓部３３は、ケーシング部材３の上面３２において、ケーシング部材３の長手方向Ｙに沿って形成され、ケーシング部材３の長手方向Ｙに直交する幅方向Ｘの中央よりも壁面１００側に寄った位置に配置されている。窓部３３は、上面板３１の上面３２の長手方向Ｙの全域に亘って形成される。ケーシング部材３の上面３２の開口における開口縁部３２１は、窓部３３の外郭を構成する。
【００２７】
ケーシング部材３の開口縁部３２１において、ケーシング部材３は、開口側面３２２を有する。開口側面３２２は、窓部３３の外郭を構成するケーシング部材３の開口縁部３２１において厚み部分の側面である。
【００２８】
開口側面３２２は、第１開口側面３２２ａと、第２開口側面３２２ｂと、からなる。
第１開口側面３２２ａは、窓部３３に対して壁面１００側の開口側面である。第１開口側面３２２ａは、壁面１００側に下がる傾斜面である。
第２開口側面３２２ｂは、窓部３３に対して壁面１００とは反対側の開口側面である。第２開口側面３２２ｂは、ほぼ垂直方向Ｚに延びる面である。
【００２９】
底面板３４には、図２に示すように、複数の押圧用ネジ孔３４１と、複数の水抜孔３４２とが形成されている。複数の押圧用ネジ孔３４１及び複数の水抜孔３４２は、底面板３４を垂直方向Ｚに貫通する。
【００３０】
複数の押圧用ネジ孔３４１は、図２及び図３に示すように、長手方向Ｙに直交する幅方向Ｘの中央の位置において、ケーシング部材３の長手方向Ｙに沿って並んで形成されている。押圧用ネジ孔３４１には、押圧ネジ部材８３（後述）が底面板３４を貫通して螺合される。
【００３１】
複数の水抜孔３４２は、図２に示すように、ケーシング部材３の長手方向Ｙの両端部寄りのそれぞれにおいて、幅方向Ｘに２つずつ並んで形成されている。水抜孔３４２は、ケーシング部材３の内部の隙間Ｓ（図３参照）に浸入した水やケーシング部材３の内部の隙間Ｓ（図３参照）に生じた結露による水を、照明装置１の外部に排出させ又は乾燥させるための孔である。ケーシング部材３の内部の隙間Ｓ（図３参照）は、ケーシング部材３と支持部材６との間に形成される隙間や、ケーシング部材３と透光部材７との間に形成される隙間などである。
【００３２】
光源部５は、図３に示すように、ケーシング部材３の内部に配置される。光源部５は、図３及び図４に示すように、ＬＥＤ基板５１と、複数のＬＥＤ５２と、複数の抵抗５３等の各種電子部品と、を有する。
【００３３】
ＬＥＤ基板５１は、ケーシング部材３の長手方向Ｙに延びる。ＬＥＤ基板５１の上面には、複数のＬＥＤ５２と、複数の抵抗５３とが実装されている。
複数のＬＥＤ５２は、ＬＥＤ基板５１の上面において、ケーシング部材３の長手方向Ｙに沿って、所定間隔で並べられている。
【００３４】
ＬＥＤ５２は、図３に示すように、窓部３３における幅方向Ｘ（ケーシング部材３の長手方向Ｙに直交する方向）の中央よりも壁面１００とは反対側に寄った位置に配置されている。ＬＥＤ５２は、垂直方向Ｚの上方側から視た場合に、ＬＥＤ５２の少なくとも一部がケーシング部材３の不透光の部分に重なっている。さらに、図３では、ＬＥＤ５２における幅方向Ｘの半分以上がケーシング部材３の不透光の部分に重なっている。
【００３５】
ここで、ＬＥＤ５２の少なくとも一部とは、例えば、１つのＬＥＤ５２の少なくとも一部分でもよく、複数のＬＥＤ５２のうちの少なくとも１つ以上でもよい。
【００３６】
複数の抵抗５３は、ＬＥＤ基板５１の上面において、複数のＬＥＤ５２が並ぶ方向に沿って、所定間隔で並べられている。
【００３７】
支持部材６は、光源部５（ＬＥＤ５２）を挟んで後述する透光部材７と反対側において、光源部５（ＬＥＤ５２）を下方から支持する。支持部材６は、ケーシング部材３の内部において、ケーシング部材３の底面板３４の上方に配置される。
【００３８】
支持部材６は、ケーシング部材３の長手方向Ｙに延びる。支持部材６は、板状の部材により略方形筒状に形成される。支持部材６は、図３に示すように、ケーシング部材３の長手方向Ｙに直交する断面において、外形が長方形形状の筒状の枠体の上部が窪んだ形状に形成される。
【００３９】
支持部材６は、上面段差板６１と、底板６２と、第１側板６３と、第２側板６４と、を有する。上面段差板６１、底板６２、第１側板６３及び第２側板６４は、ケーシング部材３の長手方向Ｙに延びる。
【００４０】
上面段差板６１は、支持部材６の上方に配置され、ケーシング部材３の幅方向Ｘに延びる。底板６２は、支持部材６の下方に配置され、ケーシング部材３の幅方向Ｘに延びる。第１側板６３は、支持部材６における壁面１００側に配置され、垂直方向Ｚに延びる。第２側板６４は、支持部材６における壁面１００と反対側に配置され、垂直方向Ｚに延びる。
支持部材６は、上面段差板６１、第１側板６３、底板６２及び第２側板６４が長手方向Ｙに直交する周方向に連続して接続されることで、筒状の枠体に形成される。
【００４１】
上面段差板６１は、第１上段部６１１と、第２上段部６１２と、第１上段部６１１と第２上段部６１２との間に形成される窪み下段部６１３と、第１上段部６１１と窪み下段部６１３を接続する傾斜接続部６１４と、第２上段部６１２と窪み下段部６１３とを接続する垂直接続部６１５と、を有する。
【００４２】
第１上段部６１１、第２上段部６１２、窪み下段部６１３は、ケーシング部材３の長手方向Ｙ及び幅方向Ｘに平行な平面に沿って延びる。
第１上段部６１１及び第２上段部６１２は、幅方向Ｘにおいて、窪み下段部６１３を挟んで、同一平面上に配置される。窪み下段部６１３は、第１上段部６１１及び第２上段部６１２よりも下方に、第１上段部６１１及び第２上段部６１２と平行に配置される。
【００４３】
第１上段部６１１は、窪み下段部６１３に対して壁面１００側に配置される。第２上段部６１２は、窪み下段部６１３に対して壁面１００とは反対側に配置される。
【００４４】
窪み下段部６１３は、上面に、ＬＥＤ基板取付面６１３ａを有する。ＬＥＤ基板取付面６１３ａには、光源部５のＬＥＤ基板５１が取り付けられる。ＬＥＤ基板取付面６１３ａは、第１上段部６１１の上面及び第２上段部６１２の上面よりも下方の位置において、第１上段部６１１及び第２上段部６１２と平行に配置される。ＬＥＤ基板取付面６１３ａは、ＬＥＤ基板取付面６１３ａに光源部５が配置された場合に、ＬＥＤ５２や抵抗５３が、透光部材７の下面に接触しないように、第１上段部６１１の上面及び第２上段部６１２の上面よりも低い位置に位置するように形成される。
【００４５】
窪み下段部６１３は、ケーシング部材３の長手方向Ｙに直交する幅方向Ｘにおいて、幅方向Ｘの中央よりも、壁面１００とは反対側に寄って形成される。窪み下段部６１３は、ケーシング部材３の長手方向Ｙに延びる。窪み下段部６１３の上面のＬＥＤ基板取付面６１３ａには、複数のＬＥＤ５２が実装されたＬＥＤ基板５１が取り付けられる。
【００４６】
透光部材７は、ケーシング部材３の長手方向Ｙに延びる。透光部材７は、ケーシング部材３の内部における光源部５（複数のＬＥＤ５２）よりも窓部３３側に配置される。具体的には、透光部材７は、長手方向Ｙに直交する断面において、ケーシング部材３の窓部３３から光源部５（複数のＬＥＤ５２）までに亘って配置される。透光部材７は、複数のＬＥＤ５２からの光を透過させる。透光部材７は、例えば、アクリル樹脂で形成される。
【００４７】
透光部材７は、窓部対応部分７１と、内部対応部分７２と、を有する。
窓部対応部分７１は、窓部３３に配置される。内部対応部分７２は、ケーシング部材３の内部側に、窓部対応部分７１に連続して形成される。
【００４８】
内部対応部分７２は、幅方向Ｘにおいて、窓部対応部分７１の長さよりも長く形成される。内部対応部分７２の上面７２１は、ケーシング部材３の上面板３１の下面に沿う形状に形成される。内部対応部分７２の上面７２１は、照明ユニット２が組み立てられた状態において、ケーシング部材３の上面板３１の下面に当接する。
【００４９】
窓部対応部分７１は、内部対応部分７２における幅方向Ｘの中央よりも壁面１００側に寄った位置において、内部対応部分７２から上方に突出するように形成されている。窓部対応部分７１は、上面７１１がケーシング部材３の上面３２の傾斜に沿うように形成される。つまり、窓部対応部分７１の上面７１１は、ケーシング部材３の上面３２に沿って、壁面１００側が下方になるように傾斜している。
【００５０】
シール部材８１及び一対のスペーサ部材８２，８２は、光源部５が配置される空間Ｋに水が入り込まないように、支持部材６のＬＥＤ基板取付面６１３ａにＬＥＤ基板５１が取り付けられた状態において、窓部３３から視た場合におけるＬＥＤ５２の外側において、支持部材６と透光部材７との間に配置される。
シール部材８１は、例えば、ゴム製のスポンジにより形成される。一対のスペーサ部材８２，８２は、例えば、硬質のポリ塩化ビニルにより形成される。
【００５１】
シール部材８１は、図３及び図４に示すように、ケーシング部材３の長手方向Ｙに延びる。シール部材８１は、支持部材６の上面の外周縁部の全周に亘って配置されるように、方形環状に形成される。即ち、本実施形態では、シール部材８１は、窓部３３から視た場合におけるＬＥＤ５２の外側の全周において、支持部材６と透光部材７との間に配置される。シール部材８１は、照明ユニット２が組み立てられた状態において、支持部材６の上面と透光部材７との間で押し潰されることで、支持部材６と透光部材７との間の空間Ｋの外縁をシールする。
【００５２】
一対のスペーサ部材８２，８２は、図４に示すように、支持部材６の窪み下段部６１３のＬＥＤ基板取付面６１３ａにおいて、ＬＥＤ基板５１の長手方向Ｙの両端部よりも外側に配置される。一対のスペーサ部材８２，８２は、照明ユニット２が組み立てられた状態において、支持部材６の窪み下段部６１３、傾斜接続部６１４、垂直接続部６１５の間に嵌り込むことにより、一対のスペーサ部材８２，８２の上面と第１上段部６１１および第２上段部６１２の上面とが同一平面となる。これにより、支持部材６と透光部材７との間の空間Ｋにおける長手方向Ｙの両端部においては、一対のスペーサ部材８２，８２の上面と透光部材７との間でシール部材８１が押し潰されることで、支持部材６と透光部材７との間の空間Ｋの外縁をシールする。
【００５３】
複数の押圧ネジ部材８３は、押圧用ネジ孔３４１に螺合されて、ケーシング部材３の内部に導入される。本実施形態においては、複数の押圧ネジ部材８３は、それぞれ、例えば、頭部の存在しないネジ部材により構成される。押圧ネジ部材８３は、例えば、ホーローセットや、イモネジなどとも呼ばれる。
【００５４】
複数の押圧ネジ部材８３は、ケーシング部材３における下面（一の面と反対の面）を貫通して設けられる。複数の押圧ネジ部材８３は、押圧用ネジ孔３４１に螺合されてケーシング部材３の内部に導入されることで、照明ユニット２が組み立てられた状態において、支持部材６の下面（ＬＥＤ５２と反対側の面）を、ケーシング部材３の外側から透光部材７側に押し上げる。これにより、支持部材６と透光部材７との間で、シール部材８１が押圧される。よって、複数のＬＥＤ５２が配置された空間Ｋの外縁がシールされて、支持部材６と透光部材７との間の空間Ｋであって複数のＬＥＤ５２が配置された空間Ｋを密封することができる。また、シール部材８１が押圧されることにより、光源部５（ＬＥＤ５２）が配置される空間Ｋにおける空気層を小さくできる。
【００５５】
このようにして、支持部材６と透光部材７とでシール部材８１を押圧することにより、光源部５（ＬＥＤ５２）が配置される空間Ｋへの水の浸入を抑制することができる。即ち、シール部材８１は、光源部５が配置される空間Ｋへの水の浸入を抑制するように、支持部材６と透光部材７とに押圧される。
【００５６】
次に、本発明に係る照明装置１の組み立て方法について説明する。
まず、図４に示すように、支持部材６における窪み下段部６１３のＬＥＤ基板取付面６１３ａに、複数のＬＥＤ５２が実装されたＬＥＤ基板５１（光源部５）を取り付ける。
続けて、支持部材６の窪み下段部６１３のＬＥＤ基板取付面６１３ａにおいて、ＬＥＤ基板５１の長手方向Ｙの両端部の外側に、一対のスペーサ部材８２，８２を配置し、シリコン系接着剤で固定する。また、支持部材６の上面に、支持部材６の上面の外周縁部に沿うように、シール部材８１を配置する。
【００５７】
そして、透光部材７と支持部材６とでシール部材８１及び一対のスペーサ部材８２，８２を挟んだ状態で、透光部材７を、シール部材８１及び一対のスペーサ部材８２，８２の上面に配置する。
【００５８】
次に、図４に示すように、透光部材７、シール部材８１、一対のスペーサ部材８２，８２、光源部５及び支持部材６を一体にした状態で、ケーシング部材３の一方の端部の側部開口３ａから、透光部材７、シール部材８１、一対のスペーサ部材８２，８２、光源部５及び支持部材６を、ケーシング部材３の内部に挿入する。
【００５９】
続けて、複数の押圧ネジ部材８３を、押圧用ネジ孔３４１に螺合させて、ケーシング部材３の下方から、ケーシング部材３の内部に導入する。これにより、照明ユニット２が組み立てられた状態において、複数の押圧ネジ部材８３は、支持部材６を、透光部材７側に押し上げる。そのため、内部対応部分７２の上面７２１は、ケーシング部材３の上面板３１の下面に当接する。また、シール部材８１は、支持部材６と透光部材７とにより押圧される。これにより、複数のＬＥＤ５２が配置された空間Ｋの外縁がシールされて、複数のＬＥＤ５２が配置された空間Ｋを密封することができる。
このようにして、照明ユニット２を組み立てることができる。
【００６０】
次に、照明ユニット２を壁面１００の下方に設置するために、図４に示すように、一対のサイドカバー部材１１，１１を、ケーシング部材３の長手方向Ｙの両端部に取り付ける。同時に、電源コード１２をＬＥＤ基板５１に接続する。
そして、図１に示すように、照明ユニット２が取り付けられたサイドカバー部材１１を、取り付け角度を調整して、一対の脚部材１３，１３に取り付ける。このようにして、照明装置１を壁面１００の下方に設置する作業は完了する。
【００６１】
以上のように構成される照明装置１は、支持部材６と透光部材７とでシール部材８１を押圧することにより、光源部５（ＬＥＤ５２）が配置される空間Ｋへの水の浸入を抑制することができる。そのため、照明装置１の部品点数を最低限の数としつつ、防水性能を確保することができる。また、光源部５（ＬＥＤ５２）が配置される空間Ｋにおける空気層を小さくできるため、結露を生じにくくすることができる。
【００６２】
また、ケーシング部材３の外側から、支持部材６の下面を透光部材７側に押し上げることが可能な押圧ネジ部材８３を備える。そのため、押圧ネジ部材８３を押圧用ネジ孔３４１に螺合させてケーシング部材３の内部に導入するだけで、簡単にシール部材８１を押圧することができる。これにより、光源部５が配置される空間Ｋへの水の浸入を抑制する作業を簡単に行うことができる。
【００６３】
以上説明した本実施形態の照明装置１によれば、以下のような効果を奏する。
本実施形態の照明装置１は、上面に窓部３３を有するケーシング部材３と、ケーシング部材３の内部に配置されるＬＥＤ５２と、ケーシング部材３の内部におけるＬＥＤ５２よりも窓部３３側に配置され、ＬＥＤ５２からの光を透過させる透光部材７と、ケーシング部材３の内部に配置され、透光部材７と反対側においてＬＥＤ５２を支持する支持部材６と、窓部３３から視た場合におけるＬＥＤ５２の外側において支持部材６と透光部材７との間に配置され、ＬＥＤ５２が配置される空間Ｋへの水の浸入を抑制するように、支持部材６と透光部材７とに押圧される止水部材８１と、を備える。
【００６４】
そのため、光源部５（ＬＥＤ５２）が配置される空間Ｋへの水の浸入を抑制することができる。これにより、照明装置１の部品点数を最低限の数としつつ、防水性能を確保して、内部に水が浸入しにくくすることができる。また、光源部５（ＬＥＤ５２）が配置される空間Ｋにおける空気層を小さくできるため、結露を生じにくくすることができる。
【００６５】
また、前記実施形態においては、ケーシング部材３の下面を貫通して設けられ、支持部材６におけるＬＥＤ５２と反対側の面をケーシング部材３の外側から透光部材７側に押し上げる押圧ネジ部材８３を備える。そのため、押圧ネジ部材８３を押圧用ネジ孔３４１を介してケーシング部材３の内部に導入するだけで、簡単にシール部材８１を押圧することができる。これにより、光源部５が配置される空間Ｋへの水の浸入を抑制する作業を簡単に行うことができる。
【００６６】
以上、本発明の照明装置の好ましい一実施形態について説明したが、本発明は、上述した実施形態に制限されるものではなく、適宜変更が可能である。
例えば、前記実施形態では、発光部材として、複数のＬＥＤ５２について説明したが、これに限られない。発光部材としては、例えば、１つのＬＥＤであってもよい。また、発光部材として、点光源のＬＥＤを例にして説明したが、発光部材（発光素子）が連続して配置されるライン状光源であってもよい。
【００６７】
また、前記実施形態では、窓部３３を、上面板３１の上面３２の長手方向Ｙの全域に亘って形成したが、これに限られない。例えば、窓部３３を、上面板３１の上面３２の長手方向Ｙにおいて、一部であってもよく、例えば、間隔を設けて非連結で複数形成してもよい。
【００６８】
また、前記実施形態では、照明装置１を地面に設置するものについて説明したが、これに限られない。例えば、照明装置１を壁面に取り付けて設置してもよい。
【００６９】
また、前記実施形態では、窓部３３を、ケーシング部材３の上面に設けたが、これに限られない。例えば、窓部３３を、ケーシング部材３の側面や下面に設けてもよい。
【００７０】
また、前記実施形態では、シール部材８１を、窓部３３から視た場合におけるＬＥＤ５２の外側の全周において、支持部材６と透光部材７との間に配置したが、これに限られない。例えば、シール部材８１を、窓部３３から視た場合におけるＬＥＤ５２の外側において、水の浸入経路となる箇所に配置し、その他の箇所への配置を部分的に省略してもよい。
【００７１】
また、前記実施形態では、照明装置１を長尺状に形成したが、これに限られない。また、照明装置１を構成するケーシング部材３や透光部材７や支持部材６やシール部材８１についても、長尺状に限られない。
【符号の説明】
【００７２】
１  照明装置
３  ケーシング部材
６  支持部材
７  透光部材
３３  窓部（開口）
５２  ＬＥＤ（発光部材）
８１  シール部材（止水部材）
８３  押圧ネジ部材（押圧部材）
Ｋ  空間
【図１】
2019071295.tif 000003
【図２】
2019071295.tif 000004
【図３】
2019071295.tif 000005
【図４】
2019071295.tif 000006
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
長尺状に形成されるケーシング部材であって、
長手方向に延びると共に長手方向に交差する方向に切断した場合の断面形状がコ字状のコ字状部と、
前記コ字状部の開放側に形成される一の面において前記コ字状部の開放側の一端部から開放された部分を閉じる側に延出する延出板と、
前記一の面において前記延出板に並んで配置され長手方向に交差する方向に向けて開口する開口と、
前記コ字状部における長手方向の端部に形成され長手方向の外側に向けて開口する側部開口と、を有するケーシング部材と、
前記ケーシング部材の内部に配置される発光部材と、
前記ケーシング部材の内部における前記発光部材よりも前記開口側に配置され、前記発光部材からの光を透過させる透光部材と、
前記ケーシング部材の内部に配置され、前記発光部材を挟んで前記透光部材と反対側において前記発光部材を支持する支持部材と、を備え、
前記支持部材は、前記透光部材側の面に形成され前記発光部材が配置される凹部を有し、
前記発光部材は、前記凹部に配置された状態において、前記ケーシング部材の前記延出板の下方に配置される照明装置。
【請求項２】
前記ケーシング部材の前記一の面は、前記コ字状部の開放側の一端部側から他端部側に向かうに従って上方から下方に向かうように傾斜して形成され、
前記延出板は、前記一の面において前記開口の前記一端部側に前記開口に並んで配置される上方側延出板を有し、
前記凹部は、前記開口よりも前記上方側延出板側の下方に配置される請求項１に記載の照明装置。